(57)【要約】      （修正有）【課題】テレビ、パソコン、等各映像画面に光線で出来る障害映の防止と紫外線、赤外線、電磁波の防止。【解決手段】各硬質プラスチック、合成樹脂、硝子などの素材によって、一層目表面をナシ状の凸凹にし、一層目を適合色と適合濃度に着色し、二層目をＵＶ加工を施し、三層目を導電性層の周囲に帯状高導電性を設け帯状高導電性にアース線を設け、四層目を透明層とした、多層式画面パネル。【選択図】図１
2007102150.tif 000002
【特許請求の範囲】
【請求項１】
一層目の表面を０．００１ｍｍ〜２ｍｍの間によって適合する大きさのナシ状凸凹を特色とした一層目は、硝子、硬質プラスチック、合成樹脂等の適合素材に、光線透過率２０％以上で適合色を適合濃度に着色と赤外線処理加工し、二層目をＵＶ加工、三層目透明導電性部は、周囲に幅３ｍｍ以下厚さ０．７ｍｍ以下による、一層高い透明又は有色導電性帯を設け導電性帯部の一箇所以上にアース線を設け、四層目を透明な硝子、硬質プラスチック、合成樹脂等の適合素材等によって、圧着又は接着剤で接着し、一体式に作られた多層式画面パネル
【請求項２】
一層目表面をナシ状にした一表面に、二層目ＵＶ加工を施し、三層目を透明導電性加工し導電性加工部に一箇所以上アース線を設けたパネルを台材とし、三層目に適合材料によって四層目を圧入し、一体式に作られた請求項１の多層式画面パネル
【請求項３】
一層目、二層目、三層目、四層目を透明とした請求項１の多層式画面パネル
【請求項４】
一層目と四層目と着色濃度差によって作られた請求項１の多層式画面パネル
【請求項５】
一層目を光線透過率２０％以上で適合色を適合濃度に着色し赤外線処理加工を施さずに作られた請求項１の多層式画面パネル
【請求項６】
一層目を硝子、硬質プラスチック、合成樹脂等に赤外線処理材又は赤外線処理剤を混合し適合色を適合濃度に着色し光線透過率２０％以上でて作られた請求項１の多層式パネル
【請求項７】
四層目を硝子とし、一面を０．００１ｍｍ〜２ｍｍの間によって適合する大きさのナシ状凸凹を設け、三層目を電導性加工と周囲に高導電性帯を設け高導電性帯にアース線を１箇所以上設け、二層目のＵＶ加工を施した、基盤を台材とし、一層目を光線透過率２０％以上で適合色と適合濃度に着色した硝子、硬質プラスチック若しくは合成樹脂等を圧入し、一層目表面をナシ状凸凹に加工し、一体式に作られた多層式画面パネル
【発明の詳細な説明】
【技術分野】
【０００１】テレビ画面、パソコン画面、ビデオカメラ画面に用いる画面パネルである。
【背景技術】
【０００２】従来のパネルはプラズマ、液晶、ブラウン管テレビ等も、画面自体にナシ状凸凹を設けておらず、特にプラズマテレビに関して、本体硝子基板の前に積層体を設け、防眩フイルムを表面に加工し使われている。
本体パネルつまり硝子部に当るパネル部分は触れていない、（例えば特開平１０−２８３９３９号、特開平１１−０６４６０３号公報参照）等である。
【発明が解決しょうとする課題】
【０００３】従来のパネルは防眩フイルム、透明樹脂シート、透明導電性フイルム、透明保護フイルム等の積層体をテレビ画面本体の前面に設けられているが、テレビ画面の鏡面作用に関する風景画、窓画、電球画、光線処理を確実に防ぐ手立てを要していない。
【０００４】テレビ画面の表面に、太陽光、電燈光が照射された時に、画面表面の鏡面作用によって、窓枠画、電球画が映ったり、太陽光に拠って、内部光と外部光による強弱の為に、鏡面作用で画像が見え難くなったり、窓枠画、電球画が画面に映り見えずらいと共に近年テレビ画面も大型化して来ている為、大型化と共に画面に鮮明にできる黒い網目模様も鮮明になって来ている。
これらはプラズマ、液晶、ブラウン管等も小さな一角の部分発光によって画像が出来ている為で、どうしても黒い網目模様が出来る。
プラズマテレビは軽量かつ薄型に出来ている為にプラズマデスプレパネル部分で発生する電磁波の為に赤外線、紫外線、電磁波が画面方向に出て人体に悪影響、特に長時間見続けるパソコン等は特に目に悪影響を及ぼしている。
【課題を解決するための手段】
【０００５】一層目を赤外線処理加工を施した、硝子、硬質プラスチック、合成樹脂等による適合材を可視光線２０％以上で適合色を適合濃度に着色し表面を０．００１ｍｍ〜２ｍｍの間による適合径のナシ状に加工し、二層目をＵＶ加工、三層目を酸化チタン、酸化アルミニウム、酸化マグネシュウム、カーボン等から適応される様々な透明導電材を硬質プラスチック、硝子、合成樹脂、透明塗料等の適応材と混合し、厚さ０．０１ｍｍ〜３ｍｍの間による適合厚にし、さらに三層目の画面周囲に酸化アルミ、酸化マグネシュウム、カーボンなどの混合率を高め、導電率を高めた帯状を設け、帯状部分に一箇所以上にアース線を設け、四層目を硝子、硬質プラスチック、合成樹脂などの適合材料によって作られたパネルは、一層目の表面に設けられたナシ状部分で光が表面拡散処理と着色の為に外光がテレビ基盤の中に進入を防ぎ、画面表面の太陽光によって出来る、窓画、風景画、電気光で出来る電球画、さらに紫外線、赤外線、等の人体に及ぼす損傷が大きく軽減される。
【０００６】三層目に透明導電体材を混入して設けられた三層目画面周囲の帯状高導電帯にアースを設けられている為に、テレビ機材内部で発生する電磁波が遮断され、人体の損傷が大きく軽減される。
【０００７】一層目表面がナシ状一層目が有色の為に、鏡面効果によって映像光の光線が一度内部に戻り、リブの突起部に反射光が照射され、枡部の黒い部分に照射され黒い枡目が無くなると共に一層目を通し内部映像光が外部に出る為に、黒色の網目模様が消える。
【０００８】一層目ナシ状部と有色部によって四層目が、基盤方向に鏡面効果を有し内部光線が内部に逆戻りし、屈折と乱反射し、内部デスプレパネルのリブ頭部の影が無くなり、画像が綺麗に成り、特に人物の顔、肌が艶やかにみえる。
【発明の実施するための最良の形態】
【０００９】発明の実施形態を実施例に基付き図面を参照して説明する。
図１において、表面ナシ状の一層目１は硝子、硬質プラスチック、合成樹脂などの赤外線処理加工適合材は光線透過率２０％以上で適合色と適合率によって着色し、二層目２はＵＶ加工、三層目３は透明導電性加工と周囲に帯状高導電性帯８を設け、導電性帯にアース線７を設け、四層目４を硝子、硬質プラスチック、合成樹脂などの適合材料を使用し、１層目から４層目まで、圧着又は接着し一体化画面パネルを作る。
【００１０】一体化画面パネルを基盤５と一体化することで、より一層薄型テレビ、パソコン、ができ、さらに各映像画面の映像は綺麗な画質ができると共に人体に及ぼす、紫外線、赤外線、電磁波等を大幅に処理できる。
【実施例】本発明は、以上説明したように構成されているので、以下に記載されている効果を奏する。【００１１】一層目表面をナシ状凸凹にし、適合色と適合濃度で着色している為に、画面の表面部のナシ状部で外光が表面処理され風景画、窓画、電球画が画面に出来ない。【００１２】一層目をナシ状凸凹を設け着色する事で、内部光が４層目の鏡面作用によって一度基盤内部に戻り、基盤内部デスプレのリブ頭部の影部に成る部分に照射されリブ頭部の影が無くなりリブの影で出来る画面の黒い枡状模様がなくなる。【００１３】一層目で赤外線処理、二層目ＵＶ加工、三層目導電性加工と高導電性帯を設け高導電性帯にアース線を設ける事で、人体特に目に及ぼす悪影響と電磁波による、人体の悪影響が大きく緩和される。【００１４】一層目表面によって光線表面処理と着色によって画面表面は光による、風景画、窓画、電球画、が出来ず、４層目の内部光鏡面利用で画面にできる、黒い枡模様が消え、画面の画質が高上する。
【産業上の利用可能性】
【００１５】今日、人体影響を重視されているのが、各家電製品による紫外線、赤外線、電磁波など目に見えず人体に悪影響を及ぼしているのが現状である。【００１６】テレビから各映像画面に出来る光線映は画像を見え辛くし、違和感を与えている。【００１７】本発明は人体影響と違和感に着目し考案した物であり、試作品を多数の人に見せて、率直な意見を聞き開発する。【００１８】本発明はテレビ画面から様々な画面用に使え、額等の硝子の代用品にもなり、文字が綺麗に見える。
以上の事から想定する限り、産業上の利用する可能性は非常に高い。
【図面の簡単な説明】
【図１】一層目を両面凸凹状にし、二層目にＵＶ加工、三層目導電性加工と周囲に帯状高導電性とアース線を施し、四層目を透明にした層と一体化した画面パネルと本体基盤の断面図
【図２】本体基盤と一緒に成った画面正面図
【符号の説明】
１  両面ナシ状凸凹の一層目
２  二層目ＵＶ加工
３  導電性加工
４  三層目
５  本体基盤
６  ナシ状凸凹表面
７  アース線
８  高帯状導電帯
【図１】
2007102150.tif 000003
【図２】
2007102150.tif 000004